(57)【要約】【課題】磁石により引き寄せてケースに係止させた金属製のストッパー板をロック部材の出没により係止及び係止の解除を行う機能と、ストッパー板自体を反係止方向に移動させて係止の解除を行う機能を備えた、従来にない新規な構成のドアストッパーを提供する。【解決手段】ドアストッパー１１は、ケース１２と、ケース１２に設けられた磁石２１と、ケース１２に出没可能に設けられたロック部材６１と、ケース１２に摺動可能に設けられたカバー４１と、ロック部材６１とカバー４１間に配置された弾性部材８０とからなる。ケース１２に係合部３１，３２が設けられ、カバー４１に第１の被係合部５３，５４及び第２の被係合部５５，５６が設けられている。係合部３１，３２と第１の被係合部５３，５４が係合するとロック部材６１がケース１２内に収納され、係合部３１，３２と第２の被係合部５５，５６が係合するとロック部材６１がケース１２から突出する。【選択図】図１
2018031194.tif 000002
【特許請求の範囲】
【請求項１】
開閉するドアに取り付けられ、ドアが開閉して、床面に回動可能に設けられた金属製のストッパー板の上方に位置すると、金属製のストッパー板を磁石によって引き寄せて係合し、ドアの開閉を阻止するドアストッパーであって、
ドアに取り付けられるケースと、
ケースに設けられ、金属製のストッパー板を引き寄せてケースの一側に当接させ、ドアの開閉を規制する磁石と、
先端がケースに収納される収納位置と、先端がケースから突出する突出位置に移動可能に設けられ、突出位置で金属製のストッパー板を係止するロック部材と、
ケースに移動可能に設けられた操作部材と、
前記操作部材に設けられ、前記ロック部材の一側を係止する係止部材と、
前記ロック部材と前記操作部材間に配置され、ロック部材を先端の突出する方向に付勢する弾性部材とからなり、
ケース及び操作部材又はケース及びロック部材の一方には係合部が設けられ、ケース及び操作部材又はケース及びロック部材の他方には前記係合部と係合する第１の被係合部及び第２の被係合部が設けられ、
係止部材は、係合部と第１の被係合部が係合すると、前記ロック部材を係止して前記収納位置で固定し、係合部と第２の被係合部が係合すると、前記ロック部材の係止を解除し、前記ロック部材が前記弾性部材の弾性により突出位置に移動することを特徴とするドアストッパー。
【請求項２】
前記係合部は凸状に形成され、
前記第１の被係合部及び第２の被係合部は凹状に形成され、
前記第１の被係合部は、係合部を移動不能に係合するように形成され、係合部の係合時にロック部材を収納位置で位置決めし、
前記第２の被係合部は、前記係合部を移動可能に係合するように形成され、係合部の係合時にロック部材を突出位置と収納位置の範囲で移動できるようにしていることを特徴とする請求項１記載のドアストッパー。
【請求項３】
前記第１の被係合部は、前記弾性部材によって付勢された係合部を係合するように形成され、係合部の係合時にロック部材を収納位置で位置決めし、
前記第２の被係合部は、前記弾性部材によって付勢された係合部を係合するように形成され、係合部の係合時にロック部材を突出位置で位置決めし、係合部を弾性部材の弾性に抗して移動させてロック部材を突出位置と収納位置の範囲で移動できるようにしていることを特徴とする請求項１記載のドアストッパー。
【請求項４】
前記操作部材は、突出位置のロック部材の先端に係止された金属製のストッパー板を磁石の磁力に抗して反係止方向に移動させて係止を解除する構成であることを特徴とする請求項１、２又は３記載のドアストッパー。
【請求項５】
前記操作部材は、ケースに摺動可能に取り付けられたカバーであることを特徴とする請求項１乃至４のいずれか１項に記載のドアストッパー。
【発明の詳細な説明】
【技術分野】
【０００１】
本願発明は、ドアの所定位置に取り付けられ、ドアを開くと、床面に設けられた金属製のストッパー板に係止され、ドアの開閉を規制するドアストッパーに関する。
【背景技術】
【０００２】
従来のドアストッパーは、開閉するドアに取り付けられ、床面に設けられたストッパー装置に係止されてドアの回転を規制する。ストッパー装置は、床面に固定された基台と、基台に回動可能に取り付けられた金属製のストッパー板とからなる。従来のドアストッパーは、開閉するドアに取り付けられるケースを有し、ケース内には磁石が設けられている。従来のドアストッパーは、ドアを開閉してケースがストッパー装置の上方に位置すると、ケース内の磁石が金属製のストッパー板を引き寄せてケースの一側に当接させてドアの開閉を規制する（例えば、特許文献１、２）。
【０００３】
従来のドアストッパーは、ドアを開くと、ドアに取り付けたケースの磁石が、床面に設けられたストッパー装置の金属製のストッパー板を引き寄せてケースの一側に当接させ、ドアがこれ以上開くのを規制するが、さらに、ドアを開いた状態で保持することができるものがあった。ドアを開いた状態で保持するドアストッパーはケースにロック部材が設けられている。このロック部材は、ケースから突出して金属製のストッパー板を係止してドアを開いた状態で保持する。また、ロック部材は、ケース内に没入して金属製のストッパー板の係止を解除する。ケースには、ロック部材の出没を操作する操作部材が設けられている。従って、ロック部材は、操作部材の操作によって、ケースから出没する（例えば、特許文献３）。
【０００４】
また、従来のドアストッパーには、ケースにロック部材を突出状態で固定しているものが存在する（例えば、特許文献４）。このドアストッパーは、ケースに係止解除手段を有し、ロック部材に金属製のストッパー板を係止させる一方、ロック部材に係止させた金属製のストッパー板自体を係止解除手段により反係止方向に移動させて係止を解除する。
【先行技術文献】
【特許文献】
【０００５】
【特許文献１】特許第２９８３５３０号公報
【特許文献２】特許第２９９０６０１号公報
【特許文献３】特許第３５５３８１８号公報
【特許文献４】特許第３５８６２６５号公報
【発明の概要】
【発明が解決しようとする課題】
【０００６】
上記したように、従来のドアストッパーには、金属製のストッパー板を磁石により引き寄せてケースに係止させる構成のものと、ロック部材を出没させて金属製のストッパー板の係止及び解除を行う構成のものと、金属製のストッパー板自体を移動させてロック部材の係止を解除する構成のものとがそれぞれ存在する。しかし、この３種類の構成を備えたドアストッパーは存在しない。
【０００７】
本願発明は、上記課題に鑑み案出したものであって、金属製のストッパー板を磁石により引き寄せてケースに係止させる構成と、ロック部材を出没させて金属製のストッパー板の係止及び解除を行う構成と、金属製のストッパー板自体を移動させてロック部材の係止を解除する構成を備えた、従来にない新規な構成のドアストッパーを提供することを目的とする。
【課題を解決するための手段】
【０００８】
本願発明に係るドアストッパーは、上記目的を達成するため、開閉するドアに取り付けられ、ドアが開閉して、床面に回動可能に設けられた金属製のストッパー板の上方に位置すると、金属製のストッパー板を磁石によって引き寄せて係合し、ドアの開閉を阻止するドアストッパーであって、ドアに取り付けられるケースと、ケースに設けられ、金属製のストッパー板を引き寄せてケースの一側に当接させ、ドアの開閉を規制する磁石と、先端がケースに収納される収納位置と、先端がケースから突出する突出位置に移動可能に設けられ、突出位置で金属製のストッパー板を係止するロック部材と、ケースに移動可能に設けられた操作部材と、前記操作部材に設けられ、前記ロック部材の一側を係止する係止部材と、前記ロック部材と前記操作部材間に配置され、ロック部材を先端の突出する方向に付勢する弾性部材とからなり、ケース及び操作部材又はケース及びロック部材の一方には係合部が設けられ、ケース及び操作部材又はケース及びロック部材の他方には前記係合部と係合する第１の被係合部及び第２の被係合部が設けられ、係止部材は、係合部と第１の被係合部が係合すると、前記ロック部材を係止して前記収納位置で固定し、係合部と第２の被係合部が係合すると、前記ロック部材の係止を解除し、前記ロック部材が前記弾性部材の弾性により突出位置に移動することを特徴とする。
【０００９】
本願発明に係るドアストッパーは、上記目的を達成するため、前記係合部は凸状に形成され、前記第１の被係合部及び第２の被係合部は凹状に形成され、前記第１の被係合部は、係合部を移動不能に係合するように形成され、係合部の係合時にロック部材を収納位置で位置決めし、前記第２の被係合部は、前記係合部を移動可能に係合するように形成され、係合部の係合時にロック部材を突出位置と収納位置の範囲で移動できるようにしていることを特徴とする。
【００１０】
本願発明に係るドアストッパーは、上記目的を達成するため、前記第１の被係合部は、前記弾性部材によって付勢された係合部を係合するように形成され、係合部の係合時にロック部材を収納位置で位置決めし、前記第２の被係合部は、前記弾性部材によって付勢された係合部を係合するように形成され、係合部の係合時にロック部材を突出位置で位置決めし、係合部を弾性部材の弾性に抗して移動させてロック部材を突出位置と収納位置の範囲で移動できるようにしていることを特徴とする。
【００１１】
本願発明に係るドアストッパーは、上記目的を達成するため、前記操作部材は、突出位置のロック部材の先端に係止された金属製のストッパー板を磁石の磁力に抗して反係止方向に移動させて係止を解除する構成であることを特徴とする。
【００１２】
本願発明に係るドアストッパーは、上記目的を達成するため、前記操作部材は、ケースに摺動可能に取り付けられたカバーであることを特徴とする。
【発明の効果】
【００１３】
本願発明に係るドアストッパーは、開閉するドアに取り付けられ、ドアが開閉して、床面に回動可能に設けられた金属製のストッパー板の上方に位置すると、金属製のストッパー板を磁石によって引き寄せて係合し、ドアの開閉を阻止する。本願発明に係るドアストッパーは、ドアに取り付けられるケースと、ケースに設けられ、金属製のストッパー板を引き寄せてケースの一側に当接させ、ドアの開閉を規制する磁石と、先端がケースに収納される収納位置と、先端がケースから突出する突出位置に移動可能に設けられ、突出位置で金属製のストッパー板を係止するロック部材と、ケースに移動可能に設けられた操作部材と、前記操作部材に設けられ、前記ロック部材の一側を係止する係止部材と、前記ロック部材と前記操作部材間に配置され、ロック部材を先端の突出する方向に付勢する弾性部材とからなる。ケース及び操作部材又はケース及びロック部材の一方には係合部が設けられている。ケース及び操作部材又はケース及びロック部材の他方には前記係合部と係合する第１の被係合部及び第２の被係合部が設けられている。係止部材は、係合部と第１の被係合部が係合すると、前記ロック部材を係止して前記収納位置で固定し、係合部と第２の被係合部が係合すると、前記ロック部材の係止を解除し、前記ロック部材が前記弾性部材の弾性により突出位置に移動する。
【００１４】
本願発明に係るドアストッパーは、開閉するドアに取り付けられ、操作部材を操作して、ケース及び操作部材又はケース及びロック部材の一方に設けられた係合部を、ケース及び操作部材又はケース及びロック部材の他方に設けられた第１の被係合部に係合すると、係止部材がロック部材を係止してロック部材を収納位置で固定する。本願発明に係るドアストッパーは、ドアを開く方向に回動して、床面に回動可能に設けられた金属製のストッパー板の上方に位置すると、金属製のストッパー板が磁石によって引き寄せられてケースに係合し、ドアの開く方向への回転を阻止し、ドアの閉じる方向への回転を阻止しないようにすることできる。
【００１５】
本願発明に係るドアストッパーは、ケースに金属製のストッパー板が係合している状態の時に、操作部材を操作して、ケース及び操作部材又はケース及びロック部材の一方に設けられた係合部を、ケース及び操作部材又はケース及びロック部材の他方に設けられた第２の被係合部に係合すると、係止部材のロック部材に対する係止を解除し、ロック部材が弾性部材の弾性により突出位置に移動し、ロック部材の先端が金属製のストッパー板を係止する。このロック部材と金属製のストッパー板の係止によりドアの閉じる方向への回転も阻止され、ドアの開いた状態が保持されることになる。操作部材を操作して、ケース及び操作部材又はケース及びロック部材の一方に設けられた係合部を、ケース及び操作部材又はケース及びロック部材の他方に設けられた第１の被係合部に係合すると、ロック部材が収納位置に移動し、金属製のストッパー板に対する係止が解除され、ドアを閉じることができる。
【００１６】
本願発明に係るドアストッパーは、前記係合部が凸状に形成され、前記第１の被係合部及び第２の被係合部が凹状に形成されている。前記第１の被係合部は、係合部を移動不能に係合するように形成され、係合部の係合時にロック部材を収納位置で位置決めする。前記第２の被係合部は、前記係合部を移動可能に係合するように形成され、係合部の係合時にロック部材を突出位置と収納位置の範囲で移動できるようにしている。
【００１７】
本願発明に係るドアストッパーは、ケース及び操作部材の一方に設けられた係合部を、ケース及び操作部材の他方に設けられた第２の被係合部に係合して、ロック部材を突出位置に移動させた状態でも、第２の被係合部が係合部を移動可能に係合するように形成されているので、ロック部材（操作部材）を弾性部材の弾性に抗し移動させることができる。
【００１８】
本願発明に係るドアストッパーは、前記第１の被係合部が、前記弾性部材によって付勢された係合部を係合するように形成され、係合部の係合時にロック部材を収納位置で位置決めする。前記第２の被係合部は、前記弾性部材によって付勢された係合部を係合するように形成され、係合部の係合時にロック部材を突出位置で位置決めし、係合部を弾性部材の弾性に抗して移動させてロック部材を突出位置と収納位置の範囲で移動できるようにしている。
【００１９】
本願発明に係るドアストッパーは、ケース及びロック部材の一方に設けられた係合部を、ケース及びロック部材の他方に設けられた第２の被係合部に係合して、ロック部材を突出位置に移動させた状態でも、第２の被係合部が係合部を移動可能に係合するように形成されているので、ロック部材（操作部材）を弾性部材の弾性に抗し移動させることができる。
【００２０】
本願発明に係るドアストッパーは、前記操作部材が、突出位置のロック部材の先端に係止された金属製のストッパー板を磁石の磁力に抗して反係止方向に移動させて係止を解除する構成である。従って、操作部材は、ロック部材の出没を行う操作機能と、金属製のストッパー板を押し下げて係止を解除する解除機能を併有する。
【００２１】
本願発明に係るドアストッパーは、前記操作部材がケースに摺動可能に取り付けられたカバーであると、操作性が向上され、部品点数が少なくなり、機能的で安価の構成にすることができる。
【図面の簡単な説明】
【００２２】
【図１】本願発明に係るドアストッパーの一実施例を示す分解斜視図である。
【図２】図１の組立斜視図である。
【図３】図２の内部を説明する図であって、（ａ）が斜視断面図、（ｂ）が側面断面図である。
【図４】図１のドアストッパーのケースを説明する図であって、（ａ）が正面側斜視図、（ｂ）が背面側斜視図である。
【図５】図４のケースを説明する図であって、（ａ）が正面図、（ｂ）が左側面図、（ｃ）が右側面図、（ｄ）がＡ−Ａ断面図、（ｅ）が背面図、（ｆ）が平面図、（ｇ）が底面図である。
【図６】図１のドアストッパーのカバーを説明する図であって、（ａ）が正面側斜視図、（ｂ）が背面側斜視図である。
【図７】図６のカバーを説明する図であって、（ａ）が正面図、（ｂ）が左側面図、（ｃ）が右側面図、（ｄ）がＡ−Ａ断面図、（ｅ）が背面図、（ｆ）が平面図、（ｇ）が底面図である。
【図８】図１のドアストッパーのロック部材を説明する図であって、（ａ）が正面側斜視図、（ｂ）が背面側斜視図である。
【図９】図８のロック部材を説明する図であって、（ａ）が正面図、（ｂ）が左側面図、（ｃ）が右側面図、（ｄ）がＡ−Ａ断面図、（ｅ）が背面図、（ｆ）が平面図、（ｇ）が底面図である。
【図１０】図１のドアストッパーの第１の動きを説明する説明図である。
【図１１】図１のドアストッパーの第２の動きを説明する説明図である。
【図１２】図１のドアストッパーの第３の動きを説明する説明図である。
【図１３】本願発明に係るドアストッパーの他の実施例を示す分解斜視図である。
【図１４】図１３の内部を説明する斜視断面図である。
【図１５】図１３のドアストッパーを説明する図であって、（ａ）が正面図、（ｂ）が右側面図、（ｃ）が平面図、（ｄ）がＡ−Ａ断面図、（ｅ）がＢ−Ｂ断面図である。
【図１６】図１３のドアストッパーの第１の動きを説明する説明図である。
【図１７】図１３のドアストッパーの第２の動きを説明する説明図である。
【図１８】図１３のドアストッパーの第３の動きを説明する説明図である。
【発明を実施するための形態】
【００２３】
ドアストッパー１１，１１１の概要について説明する。ドアストッパー１１は、図２に示すように、開閉するドアＤに取り付けられ、ドアＤが開閉して、床面に回動可能に設けられた金属製のストッパー板３の上方に位置すると、金属製のストッパー板３を磁石２１によって引き寄せて係合し、ドアＤの開閉を阻止する。図１に示すように、ドアストッパー１１は、ドアＤに取り付けられるケース１２と、ケース１２に設けられ、金属製のストッパー板３を引き寄せてケース１２の一側２６に当接させ（図１１（ｂ）参照）、ドアＤの開閉を規制する磁石２１と、先端６１Ａがケース１２に収納される収納位置と（図１１（ａ）参照）、先端６１Ａがケース１２から突出する突出位置に移動可能に設けられ（図１１（ｃ）参照）、突出位置で金属製のストッパー板３を係止するロック部材６１と、ケース１２に移動可能に設けられた操作部材４１と（図１２（ｅ）参照）、図３に示すように、前記操作部材４１に設けられ、前記ロック部材６１の一側６９ａを係止する係止部材５８と、前記ロック部材６１と前記操作部材４１間に配置され、ロック部材６１を先端６１Ａの突出する方向に付勢する弾性部材８０とからなる。
【００２４】
図４，６に示すように、ケース１２及び操作部材４１の一方には係合部３１，３２が設けられ、ケース１２及び操作部材４１の他方には前記係合部３１，３２と係合する第１の被係合部５３，５４及び第２の被係合部５５，５６が設けられている。係止部材５８は、係合部３１，３２と第１の被係合部５３，５４が係合すると、図１１（ａ）に示すように、前記ロック部材６１を係止して前記収納位置で固定し、係合部３１，３２と第２の被係合部５５，５６が係合すると、図１１（ｃ）に示すように、前記ロック部材６１の係止を解除し、前記ロック部材６１が前記弾性部材８０の弾性により突出位置に移動する。
【００２５】
ドアストッパー１１は、開閉するドアＤに取り付けられ、操作部材４１を操作して、ケース１２及び操作部材４１の一方に設けられた係合部３１，３２を、ケース１２及び操作部材４１の他方に設けられた第１の被係合部５３，５４に係合すると、図１１（ａ）に示すように、係止部材５８がロック部材６１を係止してロック部材６１を収納位置で固定する。ドアストッパー１１は、ドアＤを開く方向に回動して、床面に回動可能に設けられた金属製のストッパー板３の上方に位置すると、図１１（ｂ）に示すように、金属製のストッパー板３が磁石２１によって引き寄せられてケース１２に係合し、ドアＤの開く方向Ａへの回転を阻止し、ドアＤの閉じる方向Ｂへの回転を阻止しないようにすることができる。
【００２６】
ドアストッパー１１は、ケース１２に金属製のストッパー板３が係合している状態の時に、操作部材４１を操作して、ケース１２及び操作部材４１の一方に設けられた係合部３１，３２を、ケース１２及び操作部材４１の他方に設けられた第２の被係合部５５，５６に係合すると、図１１（ｃ）に示すように、係止部材５８のロック部材６１に対する係止を解除し、ロック部材６１が弾性部材８０の弾性により突出位置に移動し、ロック部材６１の先端６１Ａが金属製のストッパー板３を係止する。このロック部材６１と金属製のストッパー板３の係止によりドアＤの閉じる方向Ｂへの回転も阻止され、ドアＤの開いた状態が保持されることになる。図１１（ｄ）に示すように、操作部材４１を操作して、ケース１２及び操作部材４１の一方に設けられた係合部３１，３２を、ケース１２及び操作部材４１の他方に設けられた第１の被係合部５３，５４に係合すると、ロック部材６１が収納位置に移動し、金属製のストッパー板３に対する係止が解除され、ドアＤを閉じることができる。
【００２７】
ドアストッパー１１は、前記係合部３１，３２が凸状に形成され、前記第１の被係合部５３，５４及び第２の被係合部５５，５６が凹状に形成されている。前記第１の被係合部５３，５４は、係合部３１，３２を移動不能に係合するように形成され、図１１（ａ）に示すように、係合部３１，３２の係合時にロック部材６１を収納位置で位置決めする。前記第２の被係合部５５，５６は、前記係合部３１，３２を移動可能に係合するように形成され、図１２（ｂ），（ｃ）に示すように、係合部３１，３２の係合時にロック部材６１を突出位置と収納位置の範囲で移動できるようにしている。
【００２８】
ドアストッパー１１は、ケース１２及び操作部材４１の一方に設けられた係合部３１，３２を、ケース１２及び操作部材４１の他方に設けられた第２の被係合部５５，５６に係合して、ロック部材６１を突出位置に移動させた状態でも、第２の被係合部５５，５６が係合部３１，３２を移動可能に係合するように形成されているので、図１２（ｂ）〜（ｅ）に示すように、ロック部材６１（操作部材４１）を弾性部材８０の弾性に抗し移動させることができる。
【００２９】
またドアストッパー１１１は、図２に示すように、開閉するドアＤに取り付けられ、ドアＤが開閉して、床面に回動可能に設けられた金属製のストッパー板３の上方に位置すると、金属製のストッパー板３を磁石１２１によって引き寄せて係合し、ドアＤの開閉を阻止する。図１３に示すように、ドアストッパー１１１は、ドアＤに取り付けられるケース１１２と、ケース１１２に設けられ、金属製のストッパー板３を引き寄せてケース１１２の一側１２６に当接させ（図１５（ｅ）参照）、ドアＤの開閉を規制する磁石１２１と、先端１６１Ａがケース１１２に収納される収納位置と（図１６参照）、先端１６１Ａがケース１１２から突出する突出位置に移動可能に設けられ（図１７参照）、突出位置で金属製のストッパー板３を係止するロック部材１６１と、ケース１１２に移動可能に設けられた操作部材１４１と（図１８参照）、前記操作部材１４１に設けられ、前記ロック部材１６１の一側１６９ａを係止する係止部材１５８と、前記ロック部材１６１と前記操作部材１４１間に配置され、ロック部材１６１を先端１６１Ａの突出する方向に付勢する弾性部材１８０とからなる。
【００３０】
図１６，１７に示すように、ケース１１２及びロック部材１６１の一方には係合部１８１，１８６が設けられ、ケース１１２及びロック部材１６１の他方には前記係合部１８１，１８６と係合する第１の被係合部１３１，１３２及び第２の被係合部１３３，１３４が設けられている。係止部材１５８は、係合部１８１，１８６と第１の被係合部１３１，１３２が係合すると、前記ロック部材１６１を係止して前記収納位置で固定し、係合部１８１，１８６と第２の被係合部１３３，１３４が係合すると、前記ロック部材１６１の係止を解除し、前記ロック部材１６１が前記弾性部材１８０の弾性により突出位置に移動する。
【００３１】
ドアストッパー１１１は、開閉するドアＤに取り付けられ、操作部材１４１を操作して、ケース１１２及びロック部材１６１の一方に設けられた係合部１８１，１８６を、ケース１１２及びロック部材１６１の他方に設けられた第１の被係合部１３１，１３２に係合すると、図１６に示すように、係止部材１５８がロック部材１６１を係止してロック部材１６１を収納位置で固定する。ドアストッパー１１１は、ドアＤを開く方向に回動して、床面に回動可能に設けられた金属製のストッパー板３の上方に位置すると、金属製のストッパー板３が磁石１２１によって引き寄せられてケース１１１に係合し、ドアＤの開く方向Ａへの回転を阻止し、ドアＤの閉じる方向Ｂへの回転を阻止しないようにすることができる。
【００３２】
ドアストッパー１１１は、ケース１１２に金属製のストッパー板３が係合している状態の時に、操作部材１４１を操作して、ケース１１２及びロック部材１６１の一方に設けられた係合部１８１，１８６を、ケース１１２及びロック部材１６１の他方に設けられた第２の被係合部１３３，１３４に係合すると、図１７に示すように、係止部材１５８のロック部材１６１に対する係止を解除し、ロック部材１６１が弾性部材１８０の弾性により突出位置に移動し、ロック部材１６１の先端１６１Ａが金属製のストッパー板３を係止する。このロック部材１６１と金属製のストッパー板３の係止によりドアＤの閉じる方向への回転も阻止され、ドアＤの開いた状態が保持されることになる。操作部材１４１を操作して、ケース１１２及びロック部材１６１の一方に設けられた係合部１８１，１８６を、ケース１１２及びロック部材１６１の他方に設けられた第１の被係合部１３１，１３２に係合すると、図１６に示すように、ロック部材１６１が収納位置に移動し、金属製のストッパー板３に対する係止が解除され、ドアＤを閉じることができる。
【００３３】
ドアストッパー１１１は、図１６に示すように、前記第１の被係合部１３１，１３２が、前記弾性部材１８０によって付勢された係合部１８１，１８６を係合するように形成され、係合部１８１，１８６の係合時にロック部材１６１を収納位置で位置決めする。前記第２の被係合部１３３，１３４は、図１７に示すように、前記弾性部材１８０によって付勢された係合部１８１，１８６を係合するように形成され、係合部１８１，１８６の係合時にロック部材１６１を突出位置で位置決めし、係合部１８１，１８６を弾性部材１８０の弾性に抗して移動させてロック部材１６１を突出位置と収納位置の範囲で移動できるようにしている。
【００３４】
ドアストッパー１１１は、ケース１１２及びロック部材１６１の一方に設けられた係合部１８１，１８６を、ケース１１２及びロック部材１６１の他方に設けられた第２の被係合部１３３、１３４に係合して、ロック部材１６１を突出位置に移動させた状態でも、第２の被係合部１３３，１３４が係合部１８１，１８６を移動可能に係合するように形成されているので、図１７，１８に示すように、ロック部材１６１（操作部材１４１）を弾性部材１８０の弾性に抗し移動させることができる。
【００３５】
ドアストッパー１１，１１１は、図１２（ｄ），（ｅ），図１８に示すように、前記操作部材４１，１４１が、突出位置のロック部材６１，１６１の先端６１Ａ，１６１Ａに係止された金属製のストッパー板３を磁石２１の磁力に抗して反係止方向に移動させて係止を解除する構成である。従って、操作部材４１，１４１は、ロック部材６１，１６１の出没を行う操作機能と、金属製のストッパー板３を押し下げて係止を解除する解除機能を併有する。
【００３６】
ドアストッパー１１，１１１は、前記操作部材４１，１４１がケース１２，１１２に摺動可能に取り付けられたカバーであると、操作性が向上され、部品点数が少なくなり、機能的で安価の構成にすることができる。
【００３７】
さらにドアストッパー１１，１１１の実施例１，２について詳細に説明する。
【実施例１】
【００３８】
ドアストッパー１１は、図２に示すように、開閉するドアＤに取り付けられ、ドアＤが開閉して、床面に設けられたストッパー装置１の上方に位置すると、ストッパー装置１の金属製のストッパー板３に係止されてドアＤの開閉を規制する。このストッパー装置１は、図１に示すように、床面にネジ、接着剤等によって固定される基台２と、基台２に回動可能に取り付けられた金属製のストッパー板３と、基台２を覆うカバー４とからなる。ストッパー板３は、板状に形成され、一方に係止開口５が形成されている。ストッパー板３は、カバー４に形成された矩形状凹部６内に収納されており、他方端３ａに形成された軸７が基台２に形成された軸受け部８，８に回動可能に取り付けられている。
【００３９】
図１に示すように、ドアストッパー１１は、ケース１２と、ケース１２に摺動可能に取り付けられたカバー４１とを有する。ケース１２は、図４，５に示すように、合成樹脂によって一体成形され、背面壁１３と、背面壁１３の正面側略中央の位置であって、背面壁１３と略直角に設けられた中央壁１５とを有する。中央壁１５は、矩形体状に形成されている。中央壁１５の左面１５ａには、背面壁１３と略直角の水平壁１６が形成されている。また、中央壁１５の右面１５ｂ下部には、背面壁１３と略直角の磁石収納部１７が形成されている。磁石収納部１７は、略矩形体状に形成され、内部に略直方体状の磁石収納室１９が形成されている。背面壁１３には、磁石収納室１９と連通する開口２０が形成され、図１に示すように、開口２０から直方体状の磁石２１を磁石収納室１９内に収納することができる。
【００４０】
中央壁１５の下端２２と磁石収納部１７の下端２３は、略水平に連続し、ケース１２の底壁２５を構成する。図４，５に示すように、ケース１２の底壁２５から背面壁１３の下部２６が突出し、この突出部（下部）２６が係止凸部を形成する。前記中央壁１５には、上下方向に向かって貫通したガイド路２８が形成されている。ガイド路２８の左右両側には、中央壁１５の左右側面が切り欠かれて係合片２９，３０が形成されている。係合片２９，３０の上部外側には、係合爪（係合凸部）３１，３２が形成されている。係合片２９，３０の下部内側には、係止段部３３，３４が設けられている。
【００４１】
前記中央壁１５の正面略中間部には、前後方向に向かって連通孔３５が形成されている。連通孔３５は、上下方向に縦長に形成され、外部から中央壁１５の正面を貫通してガイド路２８内に連通している。背面壁１３の上部両側には、縦長のネジ挿通穴３６，３７が形成されている。背面壁１３の上端には、被覆板３９が設けられている。背面壁１３の裏面両側には、略Ｌ字状の段凹部１４，１８が形成されている。
【００４２】
カバー４１は、ケース１２と同様に合成樹脂素材によって形成され、図６，７に示すように、正面板４２と、正面板４２の左端に略直角に設けられた左面板４３と、正面板４２の右端に略直角に設けられた右面板４４と、正面板４２、左面板４３及び右面板４４の上端に設けられた上面板４５とからなる。上面板４５は、正面（前部）から背面（後部）に向かって肉厚が厚くなり、上面４６が背面（後部）に向かって上昇傾斜している。左面板４３の後端縁には、内側に向かって左係合縁４７が形成され、右面板４４の後端縁には、内側に向かって右係合縁４８が形成されている。左係合縁４７は、前記ケース１２の背面壁１３に形成された左段凹部１８に摺動可能に係合する。右係合縁４８は、前記ケース１２の背面壁１３に形成された右段凹部１４に摺動可能に係合する。
【００４３】
正面板４２の裏面及び上面板４５の下面には、一対のガイド壁５１，５２が形成されている。一対のガイド壁５１，５２の間隔は、前記ケース１２の中央壁１５の幅と略同じに形成され、左側のガイド壁５１によって中央壁１５の左面１５ａが案内され、右側のガイド壁５２によって中央壁１５の右面１５ｂが案内される。左側のガイド壁５１及び右側のガイド壁５２は、中空状に形成されており、対向する内側の面には、略中央に第１の係合凹部５３，５４が形成され、上部に第２の係合凹部５５，５６が形成されている。第１の係合凹部５３，５４は短く形成され、第２の係合凹部５５，５６は長く形成されている。
【００４４】
左側のガイド壁５１に形成された第１の係合凹部５３及び第２の係合凹部５５は、ケース１２の中央壁１５の左面１５ａに形成された係合爪（係合凸部）３１が係合する。右側のガイド壁５２に形成された第１の係合凹部５４及び第２の係合凹部５６は、ケース１２の中央壁１５の右面１５ｂに形成された係合爪（係合凸部）３２が係合する。カバー４１は、第１の係合凹部５３，５４が中央壁１５の係合爪（係合凸部）３１，３２に係合すると、ケース１２に位置決めされる。カバー４１は、第２の係合凹部５５，５６が中央壁１５の係合爪（係合凸部）３１，３２に係合すると、第２の係合凹部５５，５６内の上端５５ａ，５６ａと下端５５ｂ，５６ｂに係合爪（係合凸部）３１，３２が当接する範囲で係合爪（係合凸部）３１，３２が上下動可能であり、カバー４１がケース１２に上下方向に摺動可能となる。
【００４５】
カバー４１は、正面板４２の裏面左下部に、断面コ字状の補助部材４９が設けられている。補助部材４９は、カバー４１をケース１２に取り付けた際、ケース１２の背面壁１３正面に当接し、カバー４１とケース１２の位置関係を保持する。また、  正面板４２の裏面略中央には、一対のガイド壁５１，５２間に位置して係止軸５８が形成されている。係止軸５８は、ケース１２の中央壁１５の連通孔３５を挿通してガイド路２８内に突出する。このガイド路２８内には、ロック部材６１が上下方向に摺動可能に設けられている。
【００４６】
ロック部材６１は、図８，９に示すように、矩形軸状に形成された軸部６２と、軸部６２の上端６４に形成されたバネ軸６３とからなる。軸部６２は、前面６５と、左面６６と、右面６７と、後面６８とで形成されている。前面６５には、前記した係止軸５８を挿通する断面コ字状のガイド溝６９が形成されている。また、左面６６の上部には、係止突起７１が形成され、右面６７の上部にも、係止突起７２が形成されている。ロック部材６１は、左面６６に形成された係止突起７１が、ケース１２のガイド路２８内の係止段部３３に係止され、右面６７に形成された係止突起７２が、ガイド路２８内の係止段部３４に係止されて下方への移動が規制される。また、ロック部材６１は、後面６８の下部に係止凹部７３が形成され、前面６５の下部に後面６８に向かって下降傾斜するテーパ面７５が設けられている。
【００４７】
ロック部材６１は、図３に示すように、バネ軸６３にバネ部材８０が設けられている。バネ部材８０は、上端がカバー４１の上面板４５の内面に当接し、下端が軸部６２の上端６４に当接し、ロック部材６１を下方に付勢する。
【００４８】
ドアストッパー１１は、上記構成を有し、次のようにしてドアＤに取り付けられる。ケース１２の磁石収納室１９に開口２０から磁石２１を収納する。ケース１２の背面壁１３をドアＤの所定位置に接触させ、ネジ挿通穴３６，３７に図示しないネジを挿通してドアＤにねじ込み、ケース１２をドアＤに固定する。ロック部材６１を前面６５を正面に向けながらケース１２のガイド路２８内に挿入する。ロック部材６１は、左面６６に形成された係止突起７１が、ガイド路２８内の係止段部３３に係止され、右面６７に形成された係止突起７２が、ガイド路２８内の係止段部３４に係止される。ロック部材６１のバネ軸６３にバネ部材８０を取り付ける。
【００４９】
カバー４１をケース１２に取り付ける。カバー４１は、左係合縁４７がケース１２の背面壁１３に形成された左段凹部１８に摺動可能に係合し、右係合縁４８が背面壁１３に形成された右段凹部１４に摺動可能に係合して、ケース１２に上下動可能に取り付けられる。カバー４１は、第１の係合凹部５３，５４又は第２の係合凹部５５，５６が中央壁１５の係合爪（係合凸部）３１，３２に係合する。カバー４１に形成され係止軸５８が、ケース１２の中央壁１５の連通孔３５を挿通してガイド路２８内に突出し、係止軸５８の先端がロック部材６１のガイド溝６９内に挿通する。バネ部材８０は、上端がカバー４１の上面板４５の内面に当接し、下端が軸部６２の上端６４に当接し、ロック部材６１を下方に付勢する。このようにして、ドアストッパー１１は、ドアＤに取り付けられる。
【００５０】
ドアストッパー１１は、３種類の係止形態を選択することができる。第１の係止形態として、図１０（ａ）に示すように、カバー４１を上方に引き上げて、第１の係止凹部５３，５４をケース１２の係合爪（係合凸部）３１，３２に係合させる。カバー４１の係止軸５８がロック部材６１のガイド溝６９の上端６９ａに係合して、ロック部材６１を引き上げる。ロック部材６１の下部先端６１Ａは、ケース１２の底壁２５から没入する。
【００５１】
図１０（ａ）に示すように、ドアＤを開いてケース１２がストッパー装置１の上方に位置すると、図１０（ｂ）に示すように、ケース１２内の磁石２１の磁力によって金属製のストッパー板３が引き上げられ、ストッパー板３の先端３ｂがケース１２の底壁２５に当接する。ロック部材６１の先端６１Ａが底壁２５から突出していないので、ストッパー板３の先端３ｂが底面２５に沿って摺接する。ストッパー板３の先端３ｂが係止凸部２６に接触すると、ドアＤの回転が阻止され、それ以上開くことはない。図１０（ｂ）に示すように、ドアＤは、開く方向Ａへの回動がストッパー板３によって阻止されるが、図１０（ｃ）に示すように、閉じる方向Ｂへの回動がストッパー板３によって阻止されないので、閉じることができる。
【００５２】
第２の係止形態として、図１１（ａ）に示すように、カバー４１を上方に引き上げて、第１の係止凹部５３，５４をケース１２の係合爪（係合凸部）３１，３２に係合させ、カバー４１の係止軸５８をロック部材６１のガイド溝６９の上端６９ａに係合させてロック部材６１を引き上げておき、ロック部材６１をガイド路２８内に収納させておく。この状態は第１の係止形態と同じである。
【００５３】
図１１（ａ）に示すように、ドアＤを開いてケース１２がストッパー装置１の上方に位置すると、図１１（ｂ）に示すように、ケース１２内の磁石２１の磁力によって金属製のストッパー板３が引き上げられ、ストッパー板３の先端３ｂがケース１２の底壁２５に当接する。ロック部材６１の先端６１Ａが底壁２５から突出していないので、ストッパー板３の先端３ｂが底面２５に沿って摺接し、係止凸部２６に接触すると、ドアＤの回転が阻止され、それ以上開くことはない。
【００５４】
図１１（ｃ）に示すように、カバー４１を下方に押し下げると、第２の係止凹部５３，５４がケース１２の係合爪（係合凸部）３１，３２に係合する。ロック部材６１は、カバー４１の係止軸５８がガイド溝６９の上端６９ａから離れるので、下方への移動が可能となる。ロック部材６１は、カバー部材４１の上面板４５とロック部材６１の上端６４間に設けられたバネ部材８０によって下方に移動し、ロック部材６１の先端６１Ａがケース１２の底面２５から突出する。ロック部材６１は、係止突起７１，７２がガイド路２８内の係止段部３３，３４に圧接係止し、先端６１Ａの突出状態が保持される。カバー部材４１は、バネ部材８０によって、第２の係止凹部５５，５６の下端５５ｂ，５６ｂがケース１２の係合爪（係合凸部）３１，３２に圧接係合している。
【００５５】
ロック部材６１の先端６１Ａは、底面２５から突出すると、係止凸部２６に接触して位置決めされている金属製のストッパー板３の係止開口５に挿通する。ストッパー板３の先端３ｂは、ケース１２の底壁２５に当接し、ロック部材６１の先端６１Ａと係止凸部２６間に位置する。ドアＤを閉じようとすると、ストッパー板３の係止開口５の縁部５ａがロック部材６１の係止凹部７３に係止するため、ドアＤを閉じることができない。このように、第２の係止形態では、係止凸部２６とロック部材６１により、ドアＤの開閉方向の回動を完全に阻止することができる。
【００５６】
図１１（ｄ）に示すように、カバー４１を上方に引き上げて、第１の係止凹部５３，５４をケース１２の係合爪（係合凸部）３１，３２に係合させる。カバー４１の係止軸５８がロック部材６１のガイド溝６９の上端６９ａに係合して、ロック部材６１を引き上げる。ロック部材６１の下部先端６１Ａは、ケース１２の底壁２５から没入する。図１１（ｅ）に示すように、ロック部材６１の下部先端６１Ａがケース１２の底壁２５から突出していないので、ストッパー板３をロック部材６１が係止することがなく、ドアＤの閉じる方向Ｂへの回動がストッパー板３によって阻止されなくなり、ドアＤを閉じることができる。
【００５７】
第３の係止形態として、図１２（ａ）に示すように、カバー４１を下方に押し下げておく。カバー４１を下方に押し下げると、第２の係止凹部５３，５４がケース１２の係合爪（係合凸部）３１，３２に係合する。ロック部材６１は、カバー４１の係止軸５８がガイド溝６９の上端６９ａから離れるので、下方への移動が可能となる。ロック部材６１は、カバー部材４１の上面板４５とロック部材６１の上端６４間に設けられたバネ部材８０によって下方に移動し、ロック部材６１の先端６１Ａがケース１２の底面２５から突出する。ロック部材６１は、係止突起７１，７２がガイド路２８内の係止段部３３，３４に圧接係止し、先端６１Ａの突出状態が保持される。カバー４１は、第２の係合凹部５５，５６内の上端５５ａ，５６ａと下端５５ｂ，５６ｂに係合爪３１，３２が当接する範囲で係合爪（係合凸部）３１，３２が上下動可能であり、カバー４１がケース１２に上下方向に摺動可能である。カバー部材４１は、バネ部材８０によって、第２の係止凹部５５，５６の下端５５ｂ，５６ｂがケース１２の係合爪３１，３２（係合凸部）に圧接係合している。
【００５８】
ドアＤを開いてドアストッパー１１がストッパー装置１の上方に位置すると、図１２（ｂ）に示すように、ケース１２内の磁石２１の磁力によって金属製のストッパー板３が引き上げられ、ストッパー板３の先端３ｂがケース１２の底壁２５に当接する。底壁２５から突出しているロック部材６１の先端６１Ａ前部にテーパ面７５が形成されているので、ストッパー板３の先端３ｂがテーパ面７５に接触する。ロック部材６１は、バネ部材８０の弾性に抗して押し上げられ、ストッパー板３の先端３ｂがロック部材６１の下部位置を通過すると、図１２（ｃ）に示すように、バネ部材８０の弾性により突出し、係止開口５内に挿通する。バネ部材８０の弾性が強く、ストッパー板３がロック部材６１を押し上げられない場合は、金属製のストッパー板３の先端３ｂがロック部材６１のテーパ面７５に摺接してロック部材６１の先端６１Ａを乗り越える。ロック部材６１の先端６１Ａが金属製のストッパー板３の係止開口５内に挿通し、金属製のストッパー板３の先端３ｂがロック部材６１の先端６１Ａと係止凸部２６間の底壁２５に当接する。
【００５９】
さらにドアＤを開こうとしても、ストッパー板３の先端３ｂがケース１２の係止凸部２６に係止されるため、ドアＤを開くことができない。逆に、ドアＤを閉じようとすると、ストッパー板３の係止開口５の縁部５ａがロック部材６１の係止凹部７３に係止するため、ドアＤを閉じることができない。このように、第３の係止形態では、ストッパー板３の先端３ｂが係止凸部２６とロック部材６１の先端６１Ａ間に挟まれて、ドアＤが開いた状態で保持され、ドアＤの開閉方向の回動を完全に阻止することができる。
【００６０】
カバー４１は、第２の係合凹部５５，５６内の上端５５ａ，５６ａと下端５５ｂ，５６ｂに係合爪（係合凸部）３１，３２が当接する範囲で上下動可能である。カバー４１は、バネ部材８０の弾性により、係合爪（係合凸部）３１，３２が第２の係合凹部５５，５６内の下端５５ｂ，５６ｂに当接して位置決めされている。カバー４１は、バネ部材８０の弾性に抗して、係合爪（係合凸部）３１，３２が第２の係合凹部５５，５６内の上端５５ａ，５６ａに当接するまで押し下げることができる。
【００６１】
ドアＤを閉じる時、図１２（ｄ）に示すように、カバー４１をバネ部材８０の弾性に抗して押し下げると、カバー４１の下端、即ち、正面板４２、左面板４３及び右面板４４の下端４２ａ，４３ａ，４４ａが金属製のストッパー板３の先端３ｂを磁石２１の磁力に抗して押し下げる（下方に移動させる）。ロック部材６１の先端６１Ａが底壁２５から突出し、ストッパー板３が係止されたままであるが、ストッパー板３の係止縁部５ａがロック部材６１の係止凹部７３に係止されない位置まで押し下げられ、ストッパー板３のロック部材６１に対する係止が解除されドアＤを閉じることが可能となる。
【００６２】
図１２（ｅ）に示すように、ストッパー板３の係止開口５の縁部５ａがロック部材６１の係止凹部７３に係止されないので、ドアＤを閉じることができる。カバー４１の押し下げを解除すると、カバー４１は、バネ部材８０の弾性により、係合爪（係合凸部）３１，３２が第２の係合凹部５５，５６内の下端５５ｂ，５６ｂに当接する位置に復帰する。このように、ドアＤは、ストッパー装置１によって、開いた状態で保持され、この保持を解除するには、カバー４１を押し下げるだけで良く、無理に脚を曲げ、腰を屈めないで、立ったままの足の踏む動作だけで簡単に行うことができる。
【実施例２】
【００６３】
ドアストッパー１１１は、図２に示すように、開閉するドアＤに取り付けられ、ドアＤが開閉して、床面に設けられたストッパー装置１の上方に位置すると、ストッパー装置１の金属製のストッパー板３に係止されてドアＤの開閉を規制する。このストッパー装置１は、前述した通りである。
【００６４】
図１３に示すように、ドアストッパー１１１は、ケース１１２と、ケース１１２に摺動可能に取り付けられたカバー１４１とを有する。ケース１１２は、合成樹脂によって一体成形され、背面壁１１３と、背面壁１１３の正面側略中央の位置であって、背面壁１１３と略直角に設けられた中央壁１１５とを有する。中央壁１１５は、矩形体状に形成されている。中央壁１１５の左面１１５ａには、背面壁１１３と略直角の水平壁１１６が形成されている。また、中央壁１１５の右面１１５ｂ下部には、背面壁１１３と略直角の磁石収納部１１７が形成されている。磁石収納部１１７は、略矩形体状に形成され、内部に略直方体状の磁石収納室１１９が形成されている。背面壁１１３には、磁石収納室１１９と連通する開口が形成され、開口から直方体状の磁石１２１を磁石収納室１１９内に収納することができる。
【００６５】
中央壁１１５の下端１２２と磁石収納部１１７の下端１２３は、略水平に連続し、ケース１１２の底壁１２５を構成する。図１５に示すように、ケース１１２の底壁１２５から背面壁１１３の下部１２６が突出し、この突出部（下部）２６が係止凸部を形成する。前記中央壁１１５には、上下方向に向かって貫通したガイド路１２８が形成されている。前記中央壁１１５の正面略中間部には、前後方向に向かって連通孔１３５が形成されている。連通孔１３５は、上下方向に縦長に形成され、外部から中央壁１１５の正面を貫通してガイド路１２８内に連通している。背面壁１１３の上部両側には、縦長のネジ挿通穴１３６，１３７が形成されている。背面壁１１３の上端には、被覆板１３９が設けられている。背面壁１１３の裏面両側には、略Ｌ字状の段凹部１１４，１１４が形成されている。
【００６６】
カバー１４１は、ケース１１２と同様に合成樹脂素材によって形成され、図１３，１５に示すように、正面板１４２と、正面板１４２の左端に略直角に設けられた左面板１４３と、正面板１４２の右端に略直角に設けられた右面板１４４と、正面板１４２、左面板１４３及び右面板１４４の上端に設けられた上面板１４５とからなる。上面板４５は、正面（前部）から背面（後部）に向かって肉厚が厚くなり、上面１４６が背面（後部）に向かって上昇傾斜している。正面板１４２の裏面略中央には、係止軸１５８が形成されている。係止軸１５８は、ケース１１２の中央壁１１５の連通孔１３５を挿通してガイド路１２８内に突出する。左面板１４３の後端縁には、内側に向かって左係合縁１４７が形成され、右面板１４４の後端縁には、内側に向かって右係合縁１４８が形成されている。左係合縁１４７は、前記ケース１１２の背面壁１１３に形成された左側の段凹部１１４に摺動可能に係合する。右係合縁１４８は、前記ケース１１２の背面壁１１３に形成された右側の段凹部１１４に摺動可能に係合する。
【００６７】
前記ガイド路１２８内には、ロック部材１６１が上下方向に摺動可能に設けられている。ロック部材１６１は、図１３〜１５に示すように、矩形軸状に形成された軸部１６２と、軸部１６２の上端１６４に形成されたバネ軸１６３とからなる。軸部１６２は、前面１６５と、左面１６６と、右面１６７と、後面１６８とで形成されている。前面１６５には、後記係止軸１５８を挿通する断面コ字状のガイド溝１６９が形成されている。また、左面１６６の上部には、係合部１８１が形成され、右面１６７の上部にも、係合部１８６が形成されている。係合部１８１は、左面１６６に突設形成された係合凸部１８２と、係合凸部１８２の先端に設けられた係合片１８３と、係合片１８３の上端に形成された係合爪１８４とからなる。また、係合部１８６は、右面１６７に突設形成された係合凸部１８７と、係合凸部１８７の先端に設けられた係合片１８８と、係合片１８８の上端に形成された係合爪１８９とからなる。また、ロック部材１６１は、後面１６８の下部に係止凹部１７３が形成され、前面１６５の下部に後面１６８に向かって下降傾斜するテーパ面１７５が設けられている。
【００６８】
前記ガイド路１２８は、ロック部材１６１の軸部１６２を上下方向に案内する矩形孔状に形成されている。ガイド路１２８の左右側面には、ロック部材１６１の係合部１８１，１８６を摺動可能に案内する案内凹部１２９，１３０が形成されている。案内凹部１２９，１３０の上部内側には、係合突起１３１，１３２が形成されている。案内凹部１２９，１３０の下部内側には、係合段部１３３，１３４が設けられている。
【００６９】
前記ロック部材１６１は、軸部１６２が前記ガイド路１２８内に摺動可能に案内され、左側の係合部１８１が案内凹部１２９に摺動可能に係合し、右側の係合部１８６が案内凹部１３０に摺動可能に係合する。前記ロック部材１６１は、係合爪１８４，１８９が係合突起１３１，１３２に係合して位置決めされ、さらに係合爪１８４，１８９が係合突起１３１，１３２を乗り越えて下方に移動すると、係合凸部１８２，１８７が係合段部１３３，１３４に係合して位置決めされる。このように、ロック部材１６１は、左面１６６に形成された係合部１８１が、ケース１１２のガイド路１２８内の係合段部１３３に係合され、右面１６７に形成された係合部１８６が、ガイド路１２８内の係合段部１３４に係合されて下方への移動が規制される。
【００７０】
ロック部材１６１は、図１３に示すように、バネ軸１６３にバネ部材１８０が設けられている。バネ部材１８０は、上端がカバー１４１の上面板１４５の内面に当接し、下端が軸部１６２の上端１６４に当接し、ロック部材１６１を下方に付勢する。
【００７１】
ドアストッパー１１１は、上記構成を有し、次のようにしてドアＤに取り付けられる。ケース１１２の磁石収納室１１９に開口から磁石１２１を収納する。ケース１１２の背面壁１１３をドアＤの所定位置に接触させ、ネジ挿通穴１３６，１３７に図示しないネジを挿通してドアＤにねじ込み、ケース１１２をドアＤに固定する。ロック部材１６１の軸部１６２を、前面１６５を正面に向けながらケース１１２のガイド路１２８内に挿入する。ロック部材１６１は、左面１６６に形成された係合部１８１が案内凹部１２９に案内され、右面１６７に形成された係合部１８６が案内凹部１３０に案内され、係合爪１８４が係合突起１３１に係合し、係合爪１８９が係合突起１３２に係合する。ロック部材１６１のバネ軸１６３にバネ部材１８０を取り付ける。
【００７２】
カバー１４１をケース１１２に取り付ける。カバー１４１は、左係合縁１４７がケース１１２の背面壁１１３に形成された左側の段凹部１１４に摺動可能に係合し、右係合縁４８が背面壁１１３に形成された右側の段凹部１１４に摺動可能に係合して、ケース１１２に上下動可能に取り付けられる。カバー１４１に形成され係止軸１５８が、ケース１１２の中央壁１１５の連通孔１３５を挿通してガイド路１２８内に突出し、係止軸１５８の先端がロック部材１６１のガイド溝１６９内に挿通する。バネ部材１８０は、上端がカバー１４１の上面板１４５の内面に当接し、下端が軸部１６２の上端１６４に当接し、ロック部材１６１を下方に付勢する。従って、ロック部材１６１の係合爪１８４が係合突起１３１に圧接係合し、係合爪１８９が係合突起１３２に圧接係合する。このようにして、ドアストッパー１１１は、ドアＤに取り付けられる。
【００７３】
ドアストッパー１１１は、３種類の係止形態を選択することができる。第１の係止形態として、図１６（ａ）に示すように、ロック部材１６１の係合爪１８４を係合突起１３１に圧接係合させ、係合爪１８９を係合突起１３２に圧接係合させた状態にしておく。カバー１４１が上方に引き上げられた状態となっている。図１６（ｂ）に示すように、カバー１４１の係止軸１５８がロック部材１６１のガイド溝１６９の上端１６９ａに係合して、ロック部材１６１を引き上げる。ロック部材１６１の下部先端１６１Ａは、ケース１１２の底壁２５から没入する。
【００７４】
ドアＤを開いてケース１１２がストッパー装置１の上方に位置すると、ケース１１２内の磁石１２１の磁力によって金属製のストッパー板３が引き上げられ、ストッパー板３の先端３ｂがケース１１２の底壁１２５に当接する。ロック部材１６１の先端１６１Ａが底壁１２５から突出していないので、ストッパー板３の先端３ｂが底壁１２５に沿って摺接する。ストッパー板３の先端３ｂが係止凸部１２６に接触すると、ドアＤの回転が阻止され、それ以上開くことはない。ドアＤは、開く方向への回動がストッパー板３によって阻止されるが、閉じる方向への回動がストッパー板３によって阻止されないので、閉じることができる。
【００７５】
第２の係止形態として、図１６（ａ）に示すように、ロック部材１６１の係合爪１８４を係合突起１３１に圧接係合させ、係合爪１８９を係合突起１３２に圧接係合させて、カバー１４１を上方に引き引き上げておき、ロック部材６１をガイド路２８内に収納させておく。この状態は第１の係止形態と同じである。ドアＤを開いてケース１１２がストッパー装置１の上方に位置すると、ケース１１２内の磁石１２１の磁力によって金属製のストッパー板３が引き上げられ、ストッパー板３の先端３ｂがケース１１２の底壁１２５に当接する。ロック部材１６１の先端１６１Ａが底壁１２５から突出していないので、ストッパー板３の先端３ｂが底壁１２５に沿って摺接し、係止凸部１２６に接触すると、ドアＤの回転が阻止され、それ以上開くことはない。
【００７６】
この状態の時、図１７に示すように、カバー１４１を下方に押し下げると、カバー１４１の係止軸１５８がロック部材１６１のガイド溝１６９の上端１６９ａから外れ、弾性部材１８０の弾性により、ロック部材１６１が下方に押圧される。係合片１８３，１８８が素材の弾性に抗して内側に撓み、ロック部材１６１の係合爪１８４，１８９が係合突起１３１，１３２から外れて乗り越え、ロック部材１６１が下方に移動して、ロック部材１６１の係合凸部１８２，１８７が係合段部１３３，１３４に係合し、ロック部材１６１の先端１６１Ａがケース１１２の底壁１２５から突出する。ロック部材１６１は、係合凸部１８２，１８７がガイド路１２８の係合段部１３３，１３４に圧接係止し、先端１６１Ａの突出状態が保持される。
【００７７】
ロック部材１６１の先端１６１Ａは、底壁１２５から突出すると、係止凸部１２６に接触して位置決めされている金属製のストッパー板３の係止開口５に挿通する。ストッパー板３の先端３ｂは、ケース１１２の底壁１２５に当接し、ロック部材１６１の先端１６１Ａと係止凸部１２６間に位置する。ドアＤを閉じようとすると、ストッパー板３の係止開口５の縁部５ａがロック部材１６１の係止凹部１７３に係止するため、ドアＤを閉じることができない。このように、第２の係止形態では、係止凸部１２６とロック部材１６１により、ドアＤの開閉方向の回動を完全に阻止することができる。
【００７８】
図１６に示すように、カバー１４１を上方に引き上げると、カバー１４１の係止軸１５８がロック部材１６１のガイド溝１６９の上端６９ａに係合して、ロック部材１６１を上方に移動させる。ロック部材１６１の係合爪１８４が係合突起１３１に圧接係合し、係合爪１８９が係合突起１３２に圧接係合する。ロック部材１６１の下部先端１６１Ａは、ケース１１２の底壁１２５から没入する。ロック部材１６１の下部先端１６１Ａがケース１１２の底壁１２５から突出していないので、ストッパー板３をロック部材１６１が係止することがなく、ドアＤの閉じる方向への回動がストッパー板３によって阻止されなくなり、ドアＤを閉じることができる。
【００７９】
第３の係止形態として、図１７に示すように、カバー１４１を下方に押し下げておく。カバー１４１を下方に押し下げると、カバー１４１の係止軸１５８がロック部材１６１のガイド溝１６９の上端１６９ａから外れ、弾性部材１８０の弾性により、ロック部材１６１が下方に押圧され、ロック部材１６１が下方に移動する。ロック部材１６１の係合凸部１８２，１８７が係合段部１３３，１３４に係合し、ロック部材１６１の先端１６１Ａがケース１１２の底壁１２５から突出する。ロック部材１６１は、係合凸部１８２，１８７がガイド路１２８の係合段部１３３，１３４に圧接係止し、先端１６１Ａの突出状態が保持される。
【００８０】
ドアＤを開いてドアストッパー１１１がストッパー装置１の上方に位置すると、ケース１１２内の磁石１２１の磁力によって金属製のストッパー板３が引き上げられ、ストッパー板３の先端３ｂがケース１１２の底壁１２５に当接する。底壁１２５から突出しているロック部材１６１の先端１６１Ａ前部にテーパ面１７５が形成されているので、ストッパー板３の先端３ｂがテーパ面１７５に接触する。ロック部材１６１は、バネ部材１８０の弾性に抗して押し上げられ、ストッパー板３の先端３ｂがロック部材１６１の下部位置を通過すると、バネ部材１８０の弾性により突出し、係止開口５内に挿通する。バネ部材１８０の弾性が強く、ストッパー板３がロック部材１６１を押し上げられない場合は、金属製のストッパー板３の先端３ｂがロック部材１６１のテーパ面１７５に摺接してロック部材１６１の先端１６１Ａを乗り越える。ロック部材１６１の先端１６１Ａが金属製のストッパー板３の係止開口５内に挿通し、金属製のストッパー板３の先端３ｂがロック部材１６１の先端１６１Ａと係止凸部１２６間の底壁１２５に当接する。
【００８１】
さらにドアＤを開こうとしても、ストッパー板３の先端３ｂがケース１１２の係止凸部１２６に係止されるため、ドアＤを開くことができない。逆に、ドアＤを閉じようとすると、ストッパー板３の係止開口５の縁部５ａがロック部材１６１の係止凹部１７３に係止するため、ドアＤを閉じることができない。このように、第３の係止形態では、ストッパー板３の先端３ｂが係止凸部１２６とロック部材１６１の先端１６１Ａ間に挟まれて、ドアＤが開いた状態で保持され、ドアＤの開閉方向の回動を完全に阻止することができる。
【００８２】
カバー１４１は、バネ部材１８０の弾性に抗して押し下げると、カバー１４１の下端、即ち、正面板１４２、左面板１４３及び右面板１４４の下端１４２ａ，１４３ａ，１４４ａが金属製のストッパー板３の先端３ｂを磁石１２１の磁力に抗して押し下げる（下方に移動させる）。ロック部材１６１の先端１６１Ａが底壁１２５から突出し、ストッパー板３が係止されたままであるが、ストッパー板３の係止開口５の縁部５ａがロック部材１６１の係止凹部１７３に係止されない位置まで押し下げられ、ストッパー板３のロック部材１６１に対する係止が解除されドアＤを閉じることが可能となる。カバー１４１の押し下げを解除すると、カバー１４１は、バネ部材１８０の弾性により、元の位置に復帰する。このように、ドアＤは、ストッパー装置１によって、開いた状態で保持され、この保持を解除するには、カバー１４１を押し下げるだけで良く、無理に脚を曲げ、腰を屈めないで、立ったままで足の踏む動作だけで簡単に行うことができる。
【００８３】
以上、図面を参照して、本発明の実施例を詳述してきたが、具体的な構成は、この実施例に限らず、本発明の要旨を逸脱しない程度の設計的変更は、本発明に含まれる。
【産業上の利用可能性】
【００８４】
本発明は、ドアの所定位置に取り付けられ、ドアを開くと、床面に設けられた金属製のストッパー板に係止され、ドアの開閉を規制するドアストッパーに利用可能である。
【符号の説明】
【００８５】
Ｄ  ドア、１  ストッパー装置、３  ストッパー板、３ｂ  先端、５  係止開口、１１  ドアストッパー、１２  ケース、１９  磁石収納室、２１  磁石、２５  底壁、２６  下部（一側、係止凸部）、３１  係合爪（係合部、係合凸部）、３２  係合爪（係合部、係合凸部）、３３  係止段部、３４  係止段部、４１  カバー（操作部材）、５１  ガイド壁、５２  ガイド壁、５３  第１の係合凹部（第１の被係合部）、５４  第１の係合凹部（第１の被係合部）、５５  第２の係合凹部（第２の被係合部）、５６  第２の係合凹部（第２の被係合部）、５８  係止軸（係止部材）、６１  ロック部材、６１Ａ  先端、６９  ガイド溝、６９ａ  上端（一側）、７１  係止突起、７２  係止突起、８０  バネ部材、１１１  ドアストッパー、１１２  ケース、１１９  磁石収納室、１２１  磁石、１２５  底壁、１２６  下部（一側、係止凸部）、１３１  係合突起（第１の被係合部）、１３２  係合突起（第１の被係合部）、１３３  係合段部（第２の被係合部）、１３４  係合段部（第２の被係合部）、１４１  カバー（操作部材）、１５８  係止軸（係止部材）、１６１  ロック部材、１６１Ａ  先端、１６９  ガイド溝、１６９ａ  上端（一側）、１８０  バネ部材（弾性部材）、１８１  係合部、１８２  係合凸部、１８３  係合片、１８４  係合爪、１８６  係合部、１８７  係合凸部、１８８  係合片、１８９  係合爪
【図１】
2018031194.tif 000003
【図２】
2018031194.tif 000004
【図３】
2018031194.tif 000005
【図４】
2018031194.tif 000006
【図５】
2018031194.tif 000007
【図６】
2018031194.tif 000008
【図７】
2018031194.tif 000009
【図８】
2018031194.tif 000010
【図９】
2018031194.tif 000011
【図１０】
2018031194.tif 000012
【図１１】
2018031194.tif 000013
【図１２】
2018031194.tif 000014
【図１３】
2018031194.tif 000015
【図１４】
2018031194.tif 000016
【図１５】
2018031194.tif 000017
【図１６】
2018031194.tif 000018
【図１７】
2018031194.tif 000019
【図１８】
2018031194.tif 000020